(57)【要約】【課題】  、従来の縫合糸アンカー及びこれらの留置具についての潜在的な課題及び／又は欠点が存在することが認められる。例えば、適切な縫合糸張力の調整及び維持は困難であることがあり、課題はまだ残っている。したがって、結び目を作る必要なく縫合糸を固定し、そして、アンカー設置時に縫合糸張力の調整及び維持能を促進する、使用が簡単な縫合糸アンカーの必要性が存在する。【解決手段】  留置具には、駆動軸と、駆動軸の遠位端に取り付けられたインプラントと、駆動軸の近位端に接続され、ハンドル及びハンドルの遠位に配置されたノブを含むハンドルアセンブリと、くさび形止め具であり、駆動軸の口部を介して、インプラントから受け入れた縫合糸の近位端を固定し、その結果、インプラントがパイロット穴に配置されるときに第１の印加張力値が生じるように構成されたくさび形止め具と、インプラント、近位ハンドル及びくさび形止め具がそれぞれ、駆動軸に接続され、第１の方向における近位ハンドルの回転によって、インプラントが第１の方向において回転し、また、インプラントが第１の方向において回転しパイロット穴内を遠位方向に進むときに、第１の印加張力値の少なくとも５０％が維持される。【選択図】図１Ａ
2019500950.tif 000002
【特許請求の範囲】
【請求項１】
カニューレ状インプラント留置具において、
長手方向軸線に沿って延び、近位端及び遠位端を備えた、細長いカニューレ状駆動軸と、
前記駆動軸の前記遠位端に着脱可能に取り付けられたカニューレ状インプラントと、
前記駆動軸の前記近位端に接続され、近位ハンドル及び該近位ハンドルの遠位に配置されたノブを備えたハンドルアセンブリと、
前記ノブの遠位の前記駆動軸に配置されたくさび形止め具であり、前記インプラントの遠位端から延びる縫合糸の近位端を固定し、その結果、前記インプラントが、骨組織の部分に形成されたパイロット穴に配置されて該パイロット穴内に前記縫合糸の遠位部分を固定するときに、前記縫合糸の近位部分と前記縫合糸の遠位部分との間を延びる前記縫合糸の第１の印加張力値が生じるように構築され、構成され、配置された前記くさび形止め具と、
を備え、
前記インプラント、前記近位ハンドル及び前記くさび形止め具がそれぞれ、前記駆動軸に接続され、第１の方向における前記近位ハンドルの軸線方向回転によって、前記インプラントが前記第１の方向において軸線方向に回転し、前記インプラントが前記第１の方向において回転し前記パイロット穴内を遠位方向に進むときに、前記第１の印加張力値の少なくとも５０％が維持される前記留置具。
【請求項２】
前記第１の方向における前記近位ハンドルの軸線方向回転によって、前記インプラントが前記第１の方向において軸線方向に回転し、前記インプラントが前記第１の方向において回転し前記パイロット穴内を遠位方向に進むときに、前記第１の印加張力値の約１００％が維持される、請求項１に記載の留置具。
【請求項３】
前記くさび形止め具が、前記第１の方向における前記近位ハンドルの軸線方向回転時に前記ノブから遠位方向に移動するように、前記駆動軸に接続される、請求項１に記載の留置具。
【請求項４】
前記くさび形止め具が、遠位方向において、前記インプラントが遠位方向に進むのと同じ距離を移動するように、前記駆動軸に接続される、請求項３に記載の留置具。
【請求項５】
前記インプラントが、前記インプラント外面の少なくとも一部に沿って延びる雄ねじ部を含有する、請求項４に記載の留置具。
【請求項６】
前記駆動軸が、前記駆動軸外面の少なくとも一部に沿って延びる雄ねじ部を含み、前記ノブが、前記ノブ内面の少なくとも一部に沿って延びる雌ねじ部を含み、前記駆動軸の前記雄ねじ部が、ねじ付き接触面を形成する前記ノブの前記雌ねじ部と嵌合し、前記駆動軸の前記雄ねじ部が、前記第１の方向における前記近位ハンドルの軸線方向回転に応じて、遠位方向に移動するように構成される、請求項５に記載の留置具。
【請求項７】
前記インプラントの前記雄ねじ部のピッチが、前記駆動軸の前記雄ねじ部のピッチとほぼ同じである、請求項６に記載の留置具。
【請求項８】
前記ノブが前記駆動軸に固定されておらず、前記駆動軸の周りを回転するように構成される、請求項１に記載の留置具。
【請求項９】
前記縫合糸が、前記駆動軸を通り、前記インプラントの前記遠位端から、前記駆動軸の前記近位端と前記遠位端との間の前記駆動軸の側方部に形成された口部を介して、前記縫合糸が固定される前記くさび形止め具まで配置される、請求項１に記載の留置具。
【請求項１０】
縫合糸通し器であり、前記駆動軸を通り、前記駆動軸の前記近位端と前記駆動軸の前記遠位端との間の前記駆動軸の側方部に形成された口部から、前記インプラント遠位端の開口部を介して配置された前記縫合糸通し器をさらに備え、前記縫合糸通し器が、縫合糸の一部を捕捉するのに十分な前記インプラントの前記遠位端の遠位に配置された縫合糸止め具を備える、請求項９に記載の留置具。
【請求項１１】
前記縫合糸止め具が、アイレットとして形成される、請求項１０に記載の留置具。
【請求項１２】
前記ハンドルが、前記第１の方向においてのみ前記ハンドルを軸線方向に回転させるように構成されたロック機構をさらに備える、請求項１に記載の留置具。
【請求項１３】
カニューレ状インプラントを、骨組織の部分に形成されたパイロット穴に留置する方法において、
カニューレ状インプラント留置具を供する段階であり、該カニューレ状インプラント留置具が、
長手方向軸線に沿って延び、近位端及び遠位端を備えた、細長いカニューレ状駆動軸と、
前記駆動軸の前記遠位端に着脱可能に取り付けられたカニューレ状インプラントと、
前記駆動軸の前記近位端に接続され、近位ハンドル及び該近位ハンドルの遠位に配置されたノブを備えたハンドルアセンブリと、
前記ノブの遠位の前記駆動軸に配置されたくさび形止め具と、を備える前記段階と、
前記インプラントの遠位端から前記くさび形止め具まで延びる縫合糸の近位端を固定する段階と、
前記インプラントを前記パイロット穴に挿入して、前記パイロット穴内に前記縫合糸の第１の遠位部分を固定し、前記縫合糸の近位部分と前記縫合糸の前記第１の遠位部分との間を延びる前記縫合糸の第１の印加張力値を形成する段階と、
第１の方向において前記近位ハンドルを回転させて、前記インプラントを前記第１の方向において回転させ、前記インプラントが前記第１の方向において回転し前記パイロット穴内を遠位方向に進むときに、前記第１の印加張力値の少なくとも５０％が維持される段階と、
を含む前記方法。
【請求項１４】
前記第１の方向において前記近位ハンドルを回転させる段階によって、前記インプラントが前記第１の方向において回転し、前記インプラントが前記第１の方向において回転し前記パイロット穴内を遠位方向に進むときに、前記第１の印加張力値の約１００％が維持される、請求項１３に記載の方法。
【請求項１５】
前記第１の方向において前記近位ハンドルを回転させる段階によって、軟部組織の部分に取り付けられた前記縫合糸の第２の遠位部分に張力がかかり、前記軟部組織の部分を骨組織の部分に並置させる、請求項１３に記載の方法。
【請求項１６】
前記回転させる段階によって、前記くさび形止め具が、前記ノブから遠位方向に移動する、請求項１３に記載の方法。
【請求項１７】
前記回転させる段階によって、前記くさび形止め具が、遠位方向において、前記インプラントが遠位方向に進むのと同じ距離を移動する、請求項１６に記載の方法。
【請求項１８】
縫合糸通し器を有した留置具を供する段階を含み、前記縫合糸通し器が、前記駆動軸を通り、前記駆動軸の前記近位端と前記駆動軸の前記遠位端との間の前記駆動軸の側方部に形成された口部から、前記インプラント遠位端の開口部を介して配置され、前記縫合糸通し器が、前記インプラントの前記遠位端の遠位に配置された縫合糸止め具をさらに備える、請求項１３に記載の方法。
【請求項１９】
前記縫合糸止め具によって前記縫合糸を捕捉する段階と、
前記縫合糸を前記駆動軸に通し、前記インプラントの前記遠位端から、前記駆動軸の前記近位端と前記駆動軸の前記遠位端との間に配置された口部を介して、固定段階の前に前記縫合糸が固定される前記くさび形止め具まで引っ張る段階と、
をさらに含む、請求項１８に記載の方法。
【請求項２０】
カニューレ状無結節アンカーインプラントにおいて、
近位端と遠位端との間を長手方向軸線に沿って延びる細長い本体と、
前記細長い本体の外面の少なくとも一部の周りに配置された複数のねじ山と、
を備え、
前記複数のねじ山の密度が、前記外面とともに変化する前記インプラント。
【発明の詳細な説明】
【技術分野】
【０００１】
関連出願の相互参照
本出願は、２０１５年１２月１６日に出願された米国仮特許出願第６２／２６８，０２８号の優先権を主張し、その内容は、その全体が参照により、本明細書に依拠し、援用される。
【０００２】
発明の背景
１．発明の分野
本発明は、軟部組織及び骨に材料を固定するアンカーに関し、具体的には、手術／修復部位においてフィラメント状材料及び軟部組織を無結節により(knotlessly)固定する縫合糸アンカー及び縫合糸アンカー留置具(deployment devices)に関する。
【背景技術】
【０００３】
２．関連技術の説明
縫合糸アンカーは、一般に、軟部組織を骨に固定する外科的処置時に利用される。このようなアンカーは、通常、骨のあらかじめ形成された穴（「パイロット穴」）に挿入され、フィラメント状材料（例えば、縫合材料／縫合糸）の一部がアンカーから穴の外に延び、そして、縫合材料が、修復する組織を通る。組織がいったん骨に接近すると、外科医は、１以上の結び目を作って縫合糸を固定することができる。結び目を作る行為は、特に関節鏡下で(arthroscopically)行う際に、外科医には数多くの課題が生じる。米国特許第８，４０９，２５２号の第１欄、２４〜４１行目を参照されたい。さらに、場合によっては、多数の結び目からの刺激作用によって引き起こされる術後疼痛の原因として、結び目が関与している。
【０００４】
外科医が結び目を作る必要なく、縫合糸を適所に固定する、種々の種類の縫合糸アンカーが開発されている。通常、これらの従来の縫合糸アンカーに関して、縫合糸は、２つの対向面の間に捕捉され、摩擦によって適所に保持される。一部の構成では、２つのアンカー構成部品間の縫合糸を捕捉するのに対し、他のものは、アンカーと骨トンネルとの間の締まりばめを利用する。骨の品質が十分であれば、後者の方法によって単純性がもたらされる。
【０００５】
関連技術の説明の項についての但し書き：特定の特許／刊行物／製品が、この関連技術の説明の項、又は本開示の他の箇所において上述されている範囲では、これらの論述は、論述された特許／刊行物／製品が特許法の目的による先行技術であることを認めるものと解する必要はない。例えば、論述された特許／刊行物／製品のうちの一部若しくはすべては、時間的に十分に早くなくてもよく、時間的に十分に早く生じた主題を反映していなくてもよく、及び／又は特許法の目的による先行技術に相当する程度に十分に可能でなくてもよい。特定の特許／刊行物／製品が、この関連技術の説明の項、及び／又は本出願の全体において上述されている範囲では、これらの説明／開示はすべて、これらのそれぞれの全体が本書類への参照により、本明細書に援用される。
【発明の概要】
【発明が解決しようとする課題】
【０００６】
本発明の実施形態によって、従来の縫合糸アンカー及びこれらの留置具についての潜在的な課題及び／又は欠点が存在することが認められる。例えば、適切な縫合糸張力の調整及び維持は困難であることがあり、課題はまだ残っている。したがって、結び目を作る必要なく縫合糸を固定し、そして、アンカー設置時に縫合糸張力の調整及び維持能を促進する、使用が簡単な縫合糸アンカーの必要性が存在する。本発明の種々の実施形態は、本明細書において論じる、１つ以上の潜在的な課題及び／又は欠点を解決するか又は低減できるという点で、好適であり得る。
【課題を解決するための手段】
【０００７】
本開示は、無結節縫合糸アンカー(knotless suture anchor)及び無結節縫合糸アンカーの留置具の、本発明による構成、構造、及び結果として得られる機能を対象とする。本明細書の種々の実施形態は、カニューレ状(cannulated)インプラント留置具において、長手方向軸線に沿って延び、近位端及び遠位端を含む、細長いカニューレ状駆動軸と、駆動軸の遠位端に着脱可能に取り付けられたカニューレ状インプラントと、駆動軸の近位端に接続され、近位ハンドル及び近位ハンドルの遠位に配置されたノブを備えたハンドルアセンブリと、ノブの遠位の駆動軸に配置されたくさび形止め具であり、インプラントの遠位端から延びる縫合糸の近位端を固定し、その結果、インプラントが、骨組織の部分に形成されたパイロット穴に配置されてパイロット穴内に縫合糸の遠位部分を固定するときに、縫合糸の近位部分と縫合糸の遠位部分との間を延びる縫合糸の第１の印加張力値(first applied tension value)が生じるように構築され、構成され、配置されたくさび形止め具と、を含み、インプラント、近位ハンドル及びくさび形止め具がそれぞれ、駆動軸に接続され、第１の方向における近位ハンドルの軸線方向回転によって、インプラントが第１の方向において軸線方向に回転し、また、インプラントが第１の方向において回転しパイロット穴内を遠位方向に進むときに、第１の印加張力値の少なくとも５０％が維持されるが、これらに限定されないカニューレ状インプラント留置具を対象とする。
【０００８】
実施形態によれば、第１の方向における近位ハンドルの軸線方向回転によって、インプラントが第１の方向において軸線方向に回転し、また、インプラントが第１の方向において回転しパイロット穴内を遠位方向に進むときに、第１の印加張力値の約１００％が維持される。
【０００９】
実施形態によれば、くさび形止め具は、第１の方向における近位ハンドルの軸線方向回転時にノブから遠位方向に移動するように、駆動軸に接続される。
【００１０】
実施形態によれば、くさび形止め具は、遠位方向において、インプラントが遠位方向に進むのと同じ距離を移動するように、駆動軸に接続される。
【００１１】
実施形態によれば、インプラントは、インプラント外面の少なくとも一部に沿って延びる雄ねじ部を含有する。
【００１２】
実施形態によれば、駆動軸は、駆動軸外面の少なくとも一部に沿って延びる雄ねじ部を含有し、ノブは、ノブ内面の少なくとも一部に沿って延びる雌ねじ部を含有し、駆動軸の雄ねじ部は、ねじ付き接触面(threaded interface)を形成するノブの雌ねじ部と嵌合し、駆動軸の雄ねじ部は、第１の方向における近位ハンドルの軸線方向回転に応じて、遠位方向に移動するように構成される。
【００１３】
実施形態によれば、インプラントの雄ねじ部のピッチは、駆動軸の雄ねじ部のピッチとほぼ同じである。
【００１４】
実施形態によれば、ノブは駆動軸に固定されておらず、駆動軸の周りを回転するように構成される。
【００１５】
実施形態によれば、縫合糸は、駆動軸を通り、インプラントの遠位端から、駆動軸の近位端と遠位端との間の駆動軸の側方部に形成された口部を介して、縫合糸が固定されるくさび形止め具まで配置される。
【００１６】
実施形態によれば、カニューレ状インプラント留置具は、さらに、縫合糸通し器であり、駆動軸を通り、駆動軸の近位端と駆動軸の遠位端との間の駆動軸の側方部に形成された口部から、インプラント遠位端の開口部を介して配置された縫合糸通し器を備え、この縫合糸通し器は、縫合糸の一部を捕捉するのに十分なインプラントの遠位端の遠位に配置された縫合糸止め具を備える。
【００１７】
実施形態によれば、縫合糸止め具は、アイレットとして形成される。
【００１８】
実施形態によれば、ハンドルは、第１の方向においてのみハンドルを軸線方向に回転させるように構成されたロック機構をさらに備える。
【００１９】
別の態様によれば、カニューレ状インプラントを、骨組織の部分に形成されたパイロット穴に留置する方法には、カニューレ状インプラント留置具を供する段階であり、カニューレ状インプラント留置具が、長手方向軸線に沿って延び、近位端及び遠位端を備えた、細長いカニューレ状駆動軸と、駆動軸の遠位端に着脱可能に取り付けられたカニューレ状インプラントと、駆動軸の近位端に接続され、近位ハンドル及び近位ハンドルの遠位に配置されたノブを備えたハンドルアセンブリと、ノブの遠位の駆動軸に配置されたくさび形止め具と、を含む段階と、インプラントの遠位端からくさび形止め具まで延びる縫合糸の近位端を固定する段階と、インプラントをパイロット穴に挿入して、パイロット穴内に縫合糸の第１の遠位部分を固定し、縫合糸の近位部分と縫合糸の第１の遠位部分との間を延びる縫合糸の第１の印加張力値を形成する段階と、第１の方向において近位ハンドルを回転させて、インプラントを第１の方向において回転させ、インプラントが第１の方向において回転しパイロット穴内を遠位方向に進むときに、第１の印加張力値の少なくとも５０％が維持される段階と、が含まれる（ただし、これらに限定されない。）。
【００２０】
実施形態によれば、第１の方向において近位ハンドルを回転させる段階によって、インプラントが第１の方向において回転し、インプラントが第１の方向において回転しパイロット穴内を遠位方向に進むときに、第１の印加張力値の約１００％が維持される。
【００２１】
実施形態によれば、第１の方向において近位ハンドルを回転させる段階によって、軟部組織の部分に取り付けられた縫合糸の第２の遠位部分に張力がかかり、軟部組織の部分を骨組織の部分に並置させる。
【００２２】
実施形態によれば、回転させる段階によって、くさび形止め具は、ノブから遠位方向に移動する。
【００２３】
実施形態によれば、回転させる段階によって、くさび形止め具は、遠位方向において、インプラントが遠位方向に進むのと同じ距離を移動する。
【００２４】
実施形態によれば、方法には、さらに、縫合糸通し器を有した留置具を供する段階が含まれ、縫合糸通し器が、駆動軸を通り、駆動軸の近位端と駆動軸の遠位端との間の駆動軸の側方部に形成された口部から、インプラント遠位端の開口部を介して配置され、縫合糸通し器が、インプラントの遠位端の遠位に配置された縫合糸止め具を備える。
【００２５】
実施形態によれば、方法には、さらに、縫合糸止め具によって縫合糸を捕捉する段階と、縫合糸を駆動軸(driver)に通し、インプラントの遠位端から、駆動軸の近位端と駆動軸の遠位端との間に配置された口部を介して、固定段階の前に縫合糸が固定されるくさび形止め具まで引っ張る段階と、が含まれる。
【００２６】
更なる態様によれば、カニューレ状無結節アンカーインプラントが提供され、このインプラントには、近位端と遠位端との間を長手方向軸線に沿って延びる細長い本体と、細長い本体の外面の少なくとも一部の周りに配置された複数のねじ山と、が含まれ、複数のねじ山の密度は、外面とともに変化する。
【００２７】
本明細書において用語が用いられ説明されている縫合材料又は縫合糸としては、モノフィラメント又はマルチフィラメント縫合糸とともに、縫合糸の機能を果たすのに適した、他の金属又は非金属フィラメント状又はワイヤ状材料が挙げられる。この材料としては、生体吸収性材料と非吸収性材料の両方を挙げることができる。
【００２８】
本明細書において用語が用いられ説明されている無結節縫合糸アンカー／インプラントは、生体適合性及び／又は生体吸収性材料から形成され得る。これらの材料は、例えば骨の治癒過程時に、身体によって再吸収されるような組成であってもよい。内側部材及び外側部材に用いるのに適した、例示的な材料としては、ポリエーテルエーテルケトン（「ＰＥＥＫ」）、ポリ乳酸／β‐リン酸三カルシウム（「ＰＬＡ／β‐ＴＣＰ」）複合材料、超高分子量ポリエチレン（「ＵＨＭＷＰＥ」）、並びに他の金属、非金属及び高分子材料が挙げられるが、これらに限定されない。
【００２９】
本発明は、添付図面と併せて次の詳細な説明を読み取ることにより、更に十分に理解され認識される。
【図面の簡単な説明】
【００３０】
【図１Ａ】実施形態に係る、カニューレ状無結節アンカーインプラントを有した無結節アンカー留置具の斜視概略図である。
【００３１】
【図１Ｂ】実施形態に係る、図１Ａに示されているカニューレ状無結節アンカーインプラントを有した無結節アンカー留置具の遠位端の斜視概略図である。
【００３２】
【図１Ｃ】実施形態に係る、図１Ａに示されている無結節アンカー留置具の中間から近位端の側面概略図である。
【００３３】
【図１Ｄ】実施形態に係る、図１Ｃに示されている無結節アンカー留置具の断面Ｂ‐Ｂの斜視概略図である。
【００３４】
【図１Ｅ】実施形態に係る、図１Ｄに示されている無結節アンカー留置具の断面「Ｄ」の拡大斜視概略図である。
【００３５】
【図１Ｆ】実施形態に係る、図１Ｄに示されている無結節アンカー留置具の断面「Ｃ」の拡大斜視概略図である。
【００３６】
【図２】本発明の実施形態に係る方法を示すフローチャートである。
【００３７】
【図３】実施形態に係る軟部組織の部分及び骨の部分とともに、カニューレ状無結節アンカーインプラントを有した無結節アンカー留置具の遠位端の斜視概略図である。
【００３８】
【図４Ａ】実施形態に係るカニューレ状無結節アンカーインプラントを有した無結節アンカー留置具の斜視概略図である。
【００３９】
【図４Ｂ】実施形態に係る、図４Ａに示されている無結節アンカー留置具の断面「Ａ」の拡大斜視概略図である。
【００４０】
【図５】実施形態に係る、図４Ａに示されている無結節アンカー留置具の中間から近位端の斜視概略図である。
【００４１】
【図６】実施形態に係る軟部組織の部分及び骨の部分とともに、カニューレ状無結節アンカーインプラントを有した無結節アンカー留置具の遠位端の斜視概略図である。
【００４２】
【図７】実施形態に係るインプラント及び縫合糸を用いて骨の部分に固定された軟部組織の部分の斜視概略図である。
【００４３】
【図８】実施形態に係る留置具の駆動軸の遠位端に取り付けられたインプラントの長手方向断面概略図である。
【００４４】
【図９】実施形態に係るハンドル内のラチェット又はロック機構を示す、ハンドル近位端の断面図である。
【００４５】
【図１０】実施形態に係るカニューレ状無結節アンカーインプラントの斜視図である。
【００４６】
【図１１】他の実施形態に係るカニューレ状無結節アンカーインプラントの斜視図である。
【発明を実施するための形態】
【００４７】
ここで図面を参照すると、全体を通して同様の参照符号は、同様の部分を意味し、図１Ａには、長手方向軸線に沿って延び、（ハンドル８内に配置され、図１Ｄに示されている）近位端４と、（カニューレ状無結節アンカーインプラント１４内に配置される）遠位端６とを備えた、細長いカニューレ状駆動軸２を含む無結節アンカー留置具１０が見られる。カニューレ状無結節アンカーインプラント１４は、駆動軸２の遠位端６に着脱可能に取り付けられ、雄ねじ部を含有することが好ましい（ただし、雄ねじ部を含む必要はない。）。ハンドルアセンブリは、駆動軸２の近位端４に接続され、ハンドルアセンブリには、近位ハンドル８と、近位ハンドル８の遠位に配置されたノブ１０と、が含まれている。くさび形止め具１２は、ノブ１１の遠位の駆動軸２に配置されている。くさび形止め具は、駆動軸２の周囲に配置された中央円筒状部分１２‐２と、２つのくさび形翼部分１２‐４と、から形成されている（図４Ａ〜４Ｂを参照）。縫合糸通し器１６は、駆動軸の近位端と駆動軸の遠位端との間の駆動軸２の側方部に形成された口部１８（穴又はチャネルであり得る。）を介して配置され、また、インプラント１４の遠位端の開口部２０を通って延び得る。糸通し器１６には、糸通し器１６の近位端に取り付けられた指グリップ２２と、糸通し器の遠位端に取り付けられた縫合糸止め具２４と、が含まれ、縫合糸止め具は、縫合糸２６の一部を捕捉するのに十分なインプラント１４の遠位端の遠位に配置され得る。図示されている縫合糸止め具２４は、アイレットのような形状をしている。ただし、縫合糸２６の一部を捕捉するのに十分な、あらゆる形状又は構造上の構成が考えられる。
【００４８】
図１Ｃに移ると、実施形態に係る、図１Ａに示された無結節アンカー留置具の中間から近位端の側面概略図が示されている。ハンドル８、ノブ１１及びくさび形止め具１２が示されている。図１Ｄを参照すると、実施形態に係る、図１Ｃに示された無結節アンカー留置具の断面Ｂ‐Ｂの斜視概略図が示されている。図１Ｅは、実施形態に係る、図１Ｄに示された無結節アンカー留置具の断面「Ｄ」の拡大斜視概略図を示している。ねじ山４６は駆動軸２の外面の一部に示され、ねじ山４４はノブ１１の内側に示されており、ねじ付き接触面４８とねじ山４６とを形成している。ねじ付き接触面に対向するくさび形止め具１２の一部分には、歯４２であり、駆動軸２に形成されたスロット４０に嵌め込まれる歯が含まれており、スロットは、駆動軸２をくさび形止め具１２に接続する。図１Ｆを参照すると、実施形態に係る、図１Ｄに示された無結節アンカー留置具の断面「Ｃ」の拡大斜視概略図が示されている。駆動軸２に形成されたスロット４０に嵌め込まれる歯４２と同様に、駆動軸２をハンドル８に接続する軸２／ハンドル８の接触面５０が示されている。くさび形止め具１２と駆動軸２との間の歯４２／スロット４０の接続は、くさび形止め具１２を駆動軸２とともに軸線方向に回転させるように構成され及び／又は構築されている。この軸線方向移動は、ハンドル８の軸線方向回転時に生じ得るが、軸２／ハンドル８の接触面５０の接続に基づいて駆動軸２を軸線方向に回転させるように構成され及び／又は構築されている。
【００４９】
例示的実施形態によれば、図２には、カニューレ状無結節アンカーインプラント１４を無結節アンカー留置具１０とともに、骨３０の部分に形成されたパイロット穴３２に留置する方法２００が示されている。本明細書では、図２に示されている方法のステップを、本開示の他の図を参照して説明する。ステップ２０２において、縫合糸２６の一部／長さの自由端部を、軟部組織２８の部分の一端部に通して取り付け（図１Ｂを参照）、縫合糸止め具２４に通す。図１Ｂは、パイロット穴３２が形成された骨３０の部分も示している。
【００５０】
ステップ２０４において、縫合糸通し器１６の指グリップ２２を近位方向に引き、捕捉された縫合糸を、カニューレ状駆動軸２に通し、駆動軸の側方部に形成された口部１８を介してインプラントの遠位端の開口部２０から引っ張る。
【００５１】
ステップ２０６において、カニューレ状無結節アンカーインプラント１４を修復部位（パイロット穴３２）に進め、たるんだ縫合糸２６を、駆動軸２に通し、駆動軸の側方部に形成された口部１８を介してインプラントの遠位端の開口部２０から引っ張り続け、軟部組織２８の部分を、カニューレ状無結節アンカーインプラント１４の遠位先端部、及びパイロット穴３２に隣接させる（図３を参照）。
【００５２】
ステップ２０８において、縫合糸２６の近位端を、例えばくさび形止め具のくさび形翼部分（図４Ａ〜４Ｂを参照）のいずれかに、被覆することによってくさび形止め具１２に固定し、その後、カニューレ状無結節アンカーインプラント１４の遠位先端部を、パイロット穴３２に挿入して、インプラント１４とパイロット穴３２との間に縫合糸の遠位部分をピン止めする。このステップによって、インプラントがパイロット穴３２に配置されてパイロット穴３２内に縫合糸の遠位部分を固定するときに、（くさび形止め具１２に取り付けられた）縫合糸の近位部分と、（パイロット穴３２内の）縫合糸の遠位部分との間を延びる縫合糸の第１の印加張力値が生じ得る。ハンドル８の回転によって、第１の印加張力値（初期張力値よりも大きな張力であり、本開示の検討に関して当業者によって認識されるように、いくらかの「たるみ」を含む、通常緩い縫合糸であり得る。）の形成が促進され、軟部組織２８の部分を骨に並置させることができる。または、一方向（例えば、反時計回り）におけるノブ１１の回転によって、くさび形止め具１２を、ノブ１１から軸線方向かつ遠位方向に延ばし、また、第２の方向（例えば、時計回り）におけるノブの回転によって、くさび形止め具１２を、ノブ１１に近づけ（軸線方向かつ近位方向に移動させ）、これにより、それぞれ、張力値を低減するか又は増やすことができる。くさび形止め具（及びくさび形止め具１２に取り付けられた駆動軸２）のこの軸線方向移動は、くさび形止め具１２及び駆動軸２の対応する回転なしに（くさび形止め具１及びハンドル８と同様に駆動軸２に固定されることは好ましくないため、駆動軸に対するノブの配置により）、印加張力値の形成及び維持の微調整を促進することができる。
【００５３】
ステップ２１０において、ハンドル８を、第１の方向（例えば、時計回り、図５を参照）において軸線方向に回転させ、留置具１０を遠位方向に進める。第１の方向におけるハンドル８の回転によって、（上述の構成などにより）軸２及びくさび形止め具１２が第１の方向において軸線方向に回転する。また、この回転によって、インプラント１４も（駆動軸２の遠位端へのその接続に基づいて）パイロット穴３２において軸線方向に回転し、遠位方向におけるインプラント１４によるパイロット穴３２への進行が促進される。ノブ１１は、ハンドル８が軸線方向に回転するときに、適所に保持されることが好ましく、また、駆動軸２及びくさび形止め具１２と同様に、第１の方向に積極的に回転するように接続し、構成し及び／又は構築されていないことが好ましい（すなわち、駆動軸２に固定されていない）。ノブ１１が適所に保持されていない場合、ノブ１１は、留置具１０の他の部分との摩擦嵌合に基づいて、第１の方向においてわずかに軸線方向に回転し得るが、ハンドル８、駆動軸２、及びくさび形止め具１２と同じ速度などではない。
【００５４】
第１の方向におけるハンドル８の軸線方向の回転ごとに、インプラント１４が第１の方向において回転しパイロット穴内を遠位方向に進むとき（縫合糸のそれぞれの端部が、くさび形止め具に、そしてパイロット穴内にそれぞれ、固定されたままである限り）、第１の印加張力値の少なくとも５０％（及び最大約１００％）が維持される。実施形態によれば、第１の方向におけるハンドル８の軸線方向の回転時にノブ８から遠位方向に移動するように構成されたくさび形止め具に基づいて、第１の印加張力値の割合が維持される。第１の方向における軸線方向の回転時に、くさび形止め具１２は、ノブ８から遠位方向において、インプラント１４がパイロット穴１４内を遠位方向に進むのと同じ距離を移動するように、駆動軸２に接続される。この遠位方向の移動は、（上述したように）駆動軸２の雄ねじ部４６の形態によって達成することができ、雄ねじ部は、ノブ８の雌ねじ部とのねじ付き接触面４８を形成し、第１の方向におけるハンドル８の軸線方向回転に応じて遠位方向に移動するように構成されている。インプラント１４の雄ねじ部のピッチは、駆動軸２の雄ねじ部４６のピッチとほぼ同じか、又は全く同じである（相当する）ことが好ましい。くさび形止め具１２及びインプラント１４はそれぞれ、第１の方向において軸線方向に回転し、また、ハンドル８が回転してインプラント１４をパイロット穴３２に進ませるときに、ピッチに対応する速度において遠位方向に平行移動する。
【００５５】
とりわけ、縫合糸２６が固定され、パイロット穴３２に入れることができない場合、インプラント１４は損傷を受け、軟部組織２８の部分に張力をかけて組織を締め付ける(incarceration)か、又はパイロット穴３２からインプラントが螺旋状に出る(auger out)ことがある。縫合糸２６が保持されていなかった場合（又は、それ以外に、説明されているように、縫合糸に張力が維持されていないか、若しくは張力が低く維持されている場合）、骨への張力及び組織の並置を失う可能性があり、その結果、修復不良が生じる。
【００５６】
ステップ２１２において、インプラント１４を、その近位端が骨３０の表面と同一平面上にあるようになるまで、進める（図６を参照）。
【００５７】
ステップ２１４において、縫合糸をくさび形止め具１２から取り外し、インプラント１４を留置し、そして、駆動軸２を修復部位から取り出すことができる（図７を参照）。駆動軸２を、パイロット穴３２内に配置されたインプラント１４から引き抜き、インプラント１をパイロット穴３２内に残す。図８に示されているように、インプラント１４は、摩擦嵌めを介して駆動軸２の遠位端６に取り付けられる。インプラント１４の内腔内の駆動軸２の管腔２‐２が示され、また、駆動軸の一部を収容しないインプラントの内腔１４‐２も示されている。駆動軸２の遠位先端部は、インプラント１４のカニューレ挿入部とわずかな干渉を生じるような大きさの円筒状部分を含有している。例えば、駆動軸２の遠位端の遠位部分の管腔とインプラント１４の内腔との間には、段状接触面５２が設けられている。この段状接触面５２又は付加的な段状接触面は、駆動軸２の管腔とインプラント１４との間の種々の位置に存在し得る。段状接触面の別の目的は、留置時に駆動軸２がインプラント１４を越えて遠位方向に延びるのを防止しやすくすることである。摩擦嵌めの力は、インプラント１４とパイロット穴３２との間の嵌合の力よりも小さいことが好ましく、これによって、インプラント１４がパイロット穴３２内に留置された後に、留置具を、インプラント１４及びパイロット穴３２から容易に取り外すことができる。余分な縫合糸を骨表面と同一平面上に切りそろえ、修復を完了させることができる。
【００５８】
一部の実施形態（図９を参照）において、ハンドル８には、さらに、ラチェット又はロック機構が含まれ、この機構には、歯を有した円形歯車５４と、第１の方向においてのみハンドル８（そして、駆動軸２、くさび形止め具１２、及びインプラント１４）を軸線方向に回転させるように構成された付勢ばね式(spring loaded)／片持ちフィンガー(cantilevered finger)５６と、が含まれ得る。ユーザがハンドルを第１の方向（時計回り）に回転させると、フィンガー５６の遠位端は、円形歯車５４の第１の組の歯間の嵌合部分から第２の組の歯へ移動し、円形歯車５４は、反対方向（反時計回り）に移動しないように固定されている。この構成によって、インプラント１４を操作してパイロット穴３２に配置する間、張力が確実に維持されることが好ましい。ラチェット又はロック機構には、本開示の検討に関して当業者に認識されるように、一方向において軸線方向に回転させない、あらゆる種類の機構が含まれ得る。
【００５９】
図１０に移ると、実施形態に係るカニューレ状無結節アンカーインプラント１４の斜視図が示されている。カニューレ状無結節アンカーインプラント１４には、近位端１４‐４と遠位端１４‐６との間の長手方向軸線に沿って延びる細長い本体が含まれ得る。また、カニューレ状無結節アンカーインプラント１４には、無結節アンカーインプラント１４の外面の周りに配置されたねじ山１４‐８も含まれ得る。ねじ山１４‐８は、連続的であっても非連続的であってもよく、細長い本体の周りのそれぞれの回転体(revolution)又は外見上の回転体は、（ねじ山１４‐８が連続的であっても）複数のねじ山を形成する別個のねじ山とみなすことができる。ねじ山１４‐８は、（１）近位端の最も近位の部分から遠位端の最も遠位の部分まで、（２）近位端の最も近位の部分から、遠位端の最も遠位の部分の前の位置まで、（３）近位端の最も近位の部分と遠位端の最も遠位の部分との間の位置から、近位端の最も近位の部分と遠位端の最も遠位の部分との間の別の位置まで、又は、（４）前述した位置（若しくはカニューレ状無結節アンカーインプラント１４の外側部分の外面における他の位置）の組合せで、延び得る。ねじ山１４‐８は、カニューレ状無結節アンカーインプラント１４の外面の周り全体に、カニューレ状無結節アンカーインプラント１４の外面の周りに部分的に（例えば、周り全体の１／４、１／２、３／４）配置されるか、又は、これらの組合せを含み得る。加えて、多数のねじ山の密度は、カニューレ状無結節アンカーインプラント１４の外面とともに変化し得る。例えば、カニューレ状無結節アンカーインプラント１４の外面の周りに配置される、多数のねじ山１４‐８の密度は、遠位端１４‐６と遠位端１４‐６に向かってほぼ半分のところとの間の無結節アンカーインプラント１４の外面の周りに配置される、多数のねじ山１４‐８´の密度と比較して、近位端１４‐４と遠位端１４‐６に向かってほぼ半分のところとの間において大きくなっていてもよい。さらに、細長い本体の内腔１４‐２は、２つ以上の径を有してもよく、例えば、近位端１４‐４には、遠位端１４‐６よりも大きな径が含まれていてもよい。この径の差は、細長い本体の部分間の形状の相違（例えば、円錐形と、種々のサイズの円筒状部分）、又は、細長い本体の内壁部分の厚さの変化を基準とした、長手方向軸線に沿った所定の点における内腔サイズの縮小若しくは拡大に基づき得る。
【００６０】
図１１に移ると、他の実施形態に係るカニューレ状無結節アンカーインプラント１４´の斜視図が示されている。カニューレ状無結節アンカーインプラント１４´の特徴の大部分は、カニューレ状無結節アンカーインプラント１４に類似している。ただし、カニューレ状無結節アンカーインプラント１４´には、横方向に配置された少なくとも１つの穴１４‐１２も含まれ、この穴は、内腔１４‐２を実質的に横断している。縫合糸２６が示されているが、穴１４‐１２を通して配置されている。横方向に配置された１つ又は複数の穴１４‐１２は、外面の１つの部分を通して、又は外面の２つの部分を通して、配置することができ、互いに直接向かい合っていてもよいが、そうである必要はなく、互いに隣り合っていてもよい。
【００６１】
本発明の実施形態を、特定の例示的実施形態を参照して具体的に示し説明してきたが、当業者であれば、記載されている説明及び図面により裏付けることができる特許請求の範囲によって規定されている本発明の趣旨及び範囲から逸脱することなく、詳細に種々の変更を行えることが理解される。さらに、例示的実施形態が特定の数の要素に関して説明されている場合、例示的実施形態は、特定の数よりも多いか又は少ない要素を利用できることが理解される。
【図１Ａ】
2019500950.tif 000003
【図１Ｂ】
2019500950.tif 000004
【図１Ｃ】
2019500950.tif 000005
【図１Ｄ】
2019500950.tif 000006
【図１Ｅ】
2019500950.tif 000007
【図１Ｆ】
2019500950.tif 000008
【図２】
2019500950.tif 000009
【図３】
2019500950.tif 000010
【図４Ａ】
2019500950.tif 000011
【図４Ｂ】
2019500950.tif 000012
【図５】
2019500950.tif 000013
【図６】
2019500950.tif 000014
【図７】
2019500950.tif 000015
【図８】
2019500950.tif 000016
【図９】
2019500950.tif 000017
【図１０】
2019500950.tif 000018
【図１１】
2019500950.tif 000019
【国際調査報告】
2019500950.tif 000020
2019500950.tif 000021
2019500950.tif 000022
2019500950.tif 000023